(57)【要約】【課題】  ホウ酸と、ハロゲンを有する少なくとも一種の無機陰イオンとを含む原液から、精度よく当該無機陰イオンをホウ酸から分離して無機化合物含有水溶液を得る方法を提供すること。【解決手段】  脱塩室、及び当該脱塩室と陰イオン交換膜により仕切られた濃縮室を備える電気透析槽において、ホウ酸と、ハロゲンを有する少なくとも一種の無機陰イオンとを含み、脱塩室内に収容されている原液に電気透析を行い、当該無機陰イオンのうち少なくとも一種をホウ酸から分離して無機化合物含有水溶液として分取する分離工程を備え、原液のｐＨが８以上である、無機化合物含有水溶液の製造方法。【選択図】図１
2020082078.tif 000002
【特許請求の範囲】
【請求項１】
脱塩室、及び当該脱塩室と陰イオン交換膜により仕切られた濃縮室を備える電気透析槽において、ホウ酸と、ハロゲンを有する少なくとも一種の無機陰イオンとを含み、脱塩室内に収容されている原液に電気透析を行い、当該無機陰イオンのうち少なくとも一種をホウ酸から分離して無機化合物含有水溶液として分取する分離工程を備え、
前記原液のｐＨが８以上である、無機化合物含有水溶液の製造方法。
【請求項２】
前記分離工程の間、前記原液のｐＨが８以上に維持されている、請求項１に記載の無機化合物含有水溶液の製造方法。
【請求項３】
脱塩室、及び当該脱塩室と陰イオン交換膜により仕切られた濃縮室を備える電気透析槽において、ホウ酸と、ハロゲンを有する少なくとも一種の無機陰イオンとを含み、脱塩室内に収容されている原液に電気透析を行い、当該無機陰イオンのうち少なくとも一種をホウ酸から分離して無機化合物含有水溶液として分取する分離工程を備え、
前記原液が、分子状態のホウ酸及びイオン状態のホウ酸の総量に対して３０モル％以下の分子状態のホウ酸を含有する、無機化合物含有水溶液の製造方法。
【請求項４】
前記ホウ酸が、Ｂ（ＯＨ）３、メタホウ酸、及びポリホウ酸並びにそれらのイオン状態のものの少なくとも一つである、請求項１〜３のいずれか一項に記載の無機化合物含有水溶液の製造方法。
【請求項５】
前記無機陰イオンが、ヨウ素を有するイオンを含み、前記分離工程において、前記ホウ酸と前記ヨウ素を有するイオンとを分離して、前記脱塩室側におけるホウ素化合物水溶液と前記濃縮室側におけるヨウ素化合物水溶液とをそれぞれ分取する、請求項１〜４のいずれか一項に記載の無機化合物含有水溶液の製造方法。
【請求項６】
前記ヨウ素を有するイオンが、ヨウ化物イオン及びヨウ素酸イオンの少なくとも一方を含む、請求項５に記載の無機化合物含有水溶液の製造方法。
【請求項７】
前記ヨウ素化合物水溶液を、ホウ素化合物を選択的に吸着する樹脂と接触させる精製工程を更に備える、請求項５又は６に記載の無機化合物含有水溶液の製造方法。
【請求項８】
前記脱塩室が、電気透析を行うための原液を収容し、前記脱塩室に原液を移送するための原液槽に接続されており、
前記ヨウ素化合物水溶液を前記原液槽に返送して電気透析を行うための原液と混合し、再度前記脱塩室に導入して電気透析を行う工程を更に備える、請求項５〜７のいずれか一項に記載の無機化合物含有水溶液の製造方法。
【請求項９】
前記電気透析槽に、前記電気透析槽とは別の第２の電気透析槽が接続されており、
前記ヨウ素化合物水溶液を前記濃縮室から前記第２の電気透析槽に移送し、電気透析を行う工程を備える、請求項５〜８のいずれか一項に記載の無機化合物含有水溶液の製造方法。
【請求項１０】
前記濃縮室から排出されるヨウ素化合物水溶液の濃度を監視し、ヨウ素化合物水溶液におけるホウ酸の濃度が予め定めた所定の下限値を超えた時から、ヨウ素化合物水溶液を、前記所定の下限値を超える以前に回収したヨウ素化合物水溶液と別に分取する、請求項５〜９のいずれか一項に記載の無機化合物含有水溶液の製造方法。
【請求項１１】
別に分取した前記ヨウ素化合物水溶液を、強塩基性陰イオン交換樹脂と接触させて精製する工程を更に備える、請求項１０に記載の無機化合物含有水溶液の製造方法。
【請求項１２】
前記陰イオン交換膜が、強塩基性陰イオン交換膜である、請求項１〜１１のいずれか一項に記載の無機化合物含有水溶液の製造方法。
【発明の詳細な説明】
【技術分野】
【０００１】
本発明は、無機化合物含有水溶液の製造方法に関する。
【背景技術】
【０００２】
工業廃液、海水等、無機イオンを複数種含む水溶液から特定の無機イオンを分離する技術として電気透析法が知られている。このような技術は、排水の処理、及びヨウ素等の希少な元素を回収する手段として重要である。
【０００３】
そのような工業廃液としては、例えば、液晶ディスプレイ等に使用される偏光フィルムの製造工程において生じる廃液のように、ヨウ化物イオン、ホウ酸、カリウムイオン、及び水溶性有機物等を含む廃液が知られている（特許文献１〜４）。このような廃液は、一般に凝集沈殿法、凝集沈殿ろ過法等により、廃液に含まれるホウ素等の特定の成分の濃度を排水基準で定められている濃度以下にした後、工業排水として排出される、又は濃縮することにより減容化して産業廃棄物として処理される。
【０００４】
近年、ホウ素及びホウ素化合物の排出基準値が１０ｍｇ／Ｌと厳しくなっており、凝集沈殿法等の従来の処理方法では、排水中のホウ素濃度を安定して排出基準値以下にすることは困難である。また、ヨウ素化合物は、先端産業、医療用途等において、ますます需要が増えており、可能な限り回収再利用することが好ましい。
【０００５】
上記の廃液に電気透析を行って特定の成分を濃縮、及び分離する方法も知られている。例えば、特許文献１では、偏光板製造工程で排出される廃液に対して、ｐＨをアルカリ側にせずにそのまま電気透析を行ってヨウ化物、ホウ酸等の無機物成分と、グリセリン、ポリビニルアルコール等の有機物成分とをそれぞれ脱塩液と濃縮液とに分離して、各液を個別に生物処理、濃縮減容化等を行うことにより、効率良く処理し、廃棄物量を減少させることができる方法が提案されている。すなわち、特許文献１の方法は、電気透析により、無機成分と有機成分とを分離する方法であって、ヨウ化物、ホウ酸等の無機成分同士の分離は行っていない。
【０００６】
また、特許文献２では、ヨウ素、ホウ素及びカリウムが存在する偏光フィルム製造廃液をｐＨが７未満になるように調整した後、電気透析して上記廃液中に含まれるヨウ素とカリウムとをヨウ化カリウムとして分離する方法が記載されている。特許文献２の方法は、ｐＨ７未満の中性から酸性の領域では、廃液に含まれるホウ酸が分子状態（Ｈ３ＢＯ３の状態）で存在し、電気透析を行ってもホウ酸は濃縮液に移動しないものの、解離したままのヨウ化物イオンは電気透析により陰イオン交換膜を通過して濃縮液に移動するという考えに基づいている。
【先行技術文献】
【特許文献】
【０００７】
【特許文献１】特開２００１−３１４８６４号公報
【特許文献２】特開２００８−１３３７９号公報
【特許文献３】特開２０１１−１５７２３７号公報
【特許文献４】国際公開第２００３−０１４０２８号
【非特許文献】
【０００８】
【非特許文献１】「水中からの超高効率ホウ素除去技術」、化学装置、２０１２、２月号、ｐ５３−５８
【発明の概要】
【発明が解決しようとする課題】
【０００９】
上記特許文献２には、廃液に含まれるホウ酸を分子状態（Ｈ３ＢＯ３の状態）、つまり、電場にほぼ応答しない状態として、電気透析により、ヨウ化物イオンと分離することができるとしている。しかしながら、本発明者らが検討したところによれば、ホウ酸及びハロゲンを含有する水溶液（原液）のｐＨを中性から酸性にして電気透析を行った場合、分子状態のホウ酸も自由拡散により陰イオン交換膜を通過することができ、例えば、原液に含まれるホウ酸の２０〜３０モル％が濃縮液に移動する場合もあることが判明した。そのため、濃縮室側に移動するホウ酸の量を低減し、より高い精度で原液から分離対象を分離し、無機化合物含有水溶液を得ることについて改善の余地がある。
【００１０】
本発明は、上記の事情に鑑みてなされたものであり、ホウ酸と、ハロゲンを有する少なくとも一種の無機陰イオンとを含む原液から、精度よく当該無機陰イオンをホウ酸から分離して無機化合物含有水溶液を得る方法を提供することを目的とする。
【課題を解決するための手段】
【００１１】
本発明の無機化合物含有水溶液の製造方法は、脱塩室、及び当該脱塩室と陰イオン交換膜により仕切られた濃縮室を備える電気透析槽において、ホウ酸と、ハロゲンを有する少なくとも一種の無機陰イオンとを含み、脱塩室内に収容されている原液に電気透析を行い、当該ハロゲンのうち少なくとも一種をホウ酸から分離して無機化合物含有水溶液として分取する分離工程を備え、原液のｐＨが８以上である。
【００１２】
上記分離工程の間、原液のｐＨが８以上に維持されていると好ましい。
【００１３】
また、本発明の無機化合物含有水溶液の製造方法は、脱塩室、及び当該脱塩室と陰イオン交換膜により仕切られた濃縮室を備える電気透析槽においてホウ酸と少なくとも一種のハロゲンを有する無機陰イオンとを含み、脱塩室内に収容されている原液に電気透析を行い、当該ハロゲンのうち少なくとも一種をホウ酸から分離して無機化合物含有水溶液として分取する分離工程を備え、原液が、分子状態のホウ酸及びイオン状態のホウ酸の総量に対して３０モル％以下の分子状態のホウ酸を含有するものであってもよい。
【００１４】
上記ホウ酸が、Ｂ（ＯＨ）３、メタホウ酸、及びポリホウ酸並びにそれらのイオン状態のものの少なくとも一つであると好ましい。
【００１５】
上記ハロゲンが、ヨウ素を有するイオンを含み、分離工程において、ホウ酸とヨウ素を有するイオンとを分離して、脱塩室側におけるホウ素化合物水溶液と濃縮室側におけるヨウ素化合物水溶液とをそれぞれ分取すると好ましい。
【００１６】
上記ヨウ素を有するイオンが、ヨウ化物イオン及びヨウ素酸イオンの少なくとも一方を含むと好ましい。
【００１７】
上記ヨウ素化合物水溶液を、ホウ素化合物を選択的に吸着する樹脂と接触させる精製工程を更に備えると好ましい。
【００１８】
上記脱塩室が、電気透析を行うための原液を収容し、脱塩室に原液を移送するための原液槽に接続されており、ヨウ素化合物水溶液を原液槽に返送して電気透析を行うための原液と混合し、再度脱塩室に導入して電気透析を行う工程を更に備えると好ましい。
【００１９】
上記電気透析槽に、当該電気透析槽とは別の第２の電気透析槽が接続されており、ヨウ素化合物水溶液を濃縮室から第２の電気透析槽に移送し、電気透析を行う工程を備えると好ましい。
【００２０】
濃縮室から排出されるヨウ素化合物水溶液の濃度を監視し、ヨウ素化合物水溶液におけるホウ酸の濃度が予め定めた所定の下限値を超えた時から、ヨウ素化合物水溶液を、所定の下限値を超える以前に回収したヨウ素化合物水溶液と別に分取すると好ましい。
【００２１】
別に分取したヨウ素化合物水溶液を、強塩基性陰イオン交換樹脂と接触させて精製する工程を更に備えると好ましい。
【００２２】
陰イオン交換膜が、強塩基性陰イオン交換膜であると好ましい。
【発明の効果】
【００２３】
本発明によれば、ホウ酸と、ハロゲンを有する少なくとも一種の無機陰イオンとを含む原液から、当該無機陰イオンを含む高い純度の無機化合物含有水溶液を得る方法を提供することを目的とする。
【図面の簡単な説明】
【００２４】
【図１】図１は、本発明の一実施形態に係る電気透析装置の構成を示す概略図である。
【図２】図２は、ｐＨと分子状態のホウ酸の割合との関係を説明する図である。
【図３】図３は、実施例３について、通電時間に対する、濃縮室側へのヨウ化物イオン及びホウ酸の移動割合を示すグラフである。
【図４】図４は、比較例２について、通電時間に対する、濃縮室側へのヨウ化物イオン及びホウ酸の移動割合を示すグラフである。
【発明を実施するための形態】
【００２５】
本実施形態の無機化合物含有水溶液の製造方法では、脱塩室、及び当該脱塩室と陰イオン交換膜により仕切られた濃縮室を備える電気透析槽において、脱塩室内に収容されている原液に電気透析を行い、無機化合物含有水溶液を分取する分離工程（以下、第一の分離工程とも呼ぶ。）を備えるものである。原液は、ホウ酸と少なくとも一種のハロゲンを有する無機陰イオン（以下、第１の陰イオンとも呼ぶ。）とを含み、上記分離工程により、当該第１の無機陰イオンをホウ酸から分離して無機化合物含有水溶液として分取する。原液は、更に以下の（ｉ）及び（ｉｉ）の少なくとも一方の条件を満たすものである。
（ｉ）原液のｐＨが８以上である。
（ｉｉ）原液が、分子状態のホウ酸及びイオン状態のホウ酸の総量に対して３０モル％以下の分子状態のホウ酸を含有する。
すなわち、本実施形態の製造方法では、脱塩室に収容された上記条件を満たす原液（脱塩液）に対して電気透析を行い、第１の陰イオンのうち少なくとも一種をホウ酸から分離して無機化合物含有水溶液として分取する分離工程を備えるものである。
【００２６】
分取する無機化合物含有水溶液は、濃縮室側の水溶液であってもよく、脱塩室側の水溶液であってもよい。つまり、電気透析により、脱塩室から濃縮室に移動した第１の無機陰イオンを含む水溶液を無機化合物含有水溶液として分取してもよいし、目的とする第１の無機陰イオン以外のイオンを濃縮室に移動させた後に脱塩室側に残った第１の無機陰イオンを含む水溶液を無機化合物含有水溶液として分取してもよい。また、第１の無機陰イオンをホウ酸から分離した後、ホウ酸を含む水溶液をホウ素化合物含有水溶液として回収してもよい。
【００２７】
なお、本明細書では、水溶液における「ホウ酸」との用語は、Ｂ（ＯＨ）３、メタホウ酸（Ｏ＝Ｂ−ＯＨ）及びポリホウ酸を含むものとし、これらの「ホウ酸」について、水溶液中における分子状態及びイオン状態のいずれの状態にあるものを指すものとする。
【００２８】
第１の無機陰イオンは、ハロゲンを含む無機陰イオンであれば特に制限はないが、塩素、臭素及びヨウ素のうち少なくとも一つの元素を含む無機陰イオンであると好ましい。第１の無機陰イオンは、ハロゲンのみで構成される無機陰イオンであってもよく、ハロゲン以外の元素（酸素原子等）を含む無機陰イオンであってよい。ハロゲンのみで構成される無機陰イオンとしては、フッ化物イオン（Ｆ−）、塩化物イオン（Ｃｌ−）、臭化物イオン（Ｂｒ−）、ヨウ化物イオン（Ｉ−）のように単一のハロゲンを含む無機陰イオンであってよく、Ｉ２Ｃｌ−、Ｉ３−、ＩＣｌ２−、Ｉ２Ｂｒ−、ＩＢｒ２−などのポリハロゲン化物イオンであってもよい。第１の無機陰イオンとしては、単一のハロゲンを含む無機陰イオンを含むことが好ましい。単一のハロゲンを含む無機陰イオンとしては、フッ化物イオン、フッ素酸イオン等のフッ素を有する無機陰イオン、塩化物イオン、塩素酸イオン等の塩素を有する無機陰イオン、臭化物イオン、臭素酸イオン等の臭素を有する無機陰イオン、ヨウ化物イオン、ヨウ素酸イオン等のヨウ素を有する無機陰イオンが挙げられ、塩素を有する無機陰イオン、臭素を有する無機陰イオン、及びヨウ素を有する無機陰イオンのいずれか一つを含むことが好ましい。なお、ハロゲンを有する無機陰イオンとしては、金属元素を含む錯イオンであってもよいが、金属元素を含まないもの（つまり金属錯イオン以外のイオン）であることが好ましい。
【００２９】
原液は、第１の無機陰イオン以外の無機陰イオンである第２の無機陰イオンを含んでいてもよい。第２の無機陰イオンは、イオン状態のホウ酸を含まない。第２の無機陰イオンとしては、一価の無機陰イオンであってもよく、多価の無機陰イオンであってもよい。より具体的には、硫酸イオン、亜硫酸イオン、チオ硫酸イオン、テトラチオン酸イオン、その他硫黄のオキソ酸イオン、硝酸イオン、リン酸イオン、リン酸水素イオン、リン酸二水素イオン、炭酸イオン、重炭酸イオン、硫化物イオン、硫化水素イオン、シアン化物イオン等が挙げられる。
【００３０】
無機陰イオンは、当該無機陰イオンを含む塩を溶解させることによって、原液に含ませることができる。無機陰イオンを含む塩としては、アルカリ金属塩等が挙げられる。また、無機陰イオンの共役酸を原液に溶解した後で、水酸化カリウム、水酸化ナトリウム等を添加してｐＨ調整を行ってもよい。
【００３１】
本実施形態の無機化合物含有水溶液の製造方法では、原液に含まれる複数の無機陰イオンに対する電気透析を利用した陰イオン交換膜によるクロマト分離の原理を利用している。ここで、電気透析を利用しない、陰イオン交換樹脂カラム等に原液を通液する通常のクロマト分離では、選択性の小さいイオンが初期に流出し、選択性の大きなイオンが最後に流出する。一方で、本実施形態の無機化合物含有水溶液の製造方法では、選択性の大きいイオンが先に濃縮室側に流出し、選択性の小さなイオンが後に流出するという通常のクロマト分離とは逆の順序で無機陰イオンが陰イオン交換膜を通過する傾向にある。また、この傾向は膜との親和性、分子半径、濃縮槽側の液条件で変化し逆転することもある。
本発明者が検討したところ、電気透析による、濃縮室側への陰イオン交換膜を隔てた無機陰イオンの移動速度は、以下の順になることが分かっている（左側にあるイオンほど移動速度が大きい）。
Ｉ３−＞Ｉ−＞ＮＯ３−＞Ｓ２Ｏ３２−＞Ｂｒ−＞Ｃｌ−＞ＳＯ４２−＞ＩＯ３−＞ＨＰＯ４２−＞ＯＨ−＞イオン状態のホウ酸
【００３２】
以下、本実施形態の製造方法において、ホウ酸と、ヨウ素を含むイオンとを含む原液を使用した場合について詳述する。
【００３３】
本実施形態の製造方法は、ホウ酸の陰イオン交換膜の通過を効果的に抑制することができるため、濃縮室側に移動したヨウ素を含むイオンを含有する水溶液におけるホウ酸の濃度をより低減でき、濃縮室におけるヨウ素化合物水溶液を高純度で回収することができ、更には脱塩室に残るホウ素化合物水溶液も回収することもできる。
【００３４】
本実施形態の製造方法では、第１の分離工程によって、ヨウ素を含むイオンを陰イオン交換膜を通して脱塩室から濃縮室に流出させることによりホウ酸と分離する。なお、分離とは、原液と比較して、濃縮室における水溶液（濃縮液）のホウ酸の濃度に対してヨウ素を含むイオンの濃度が高くなっている（つまり、ヨウ素を含む塩を主体として含む水溶液が得られる）ことを言い、濃縮室における水溶液に全くホウ酸が含まれないことのみを意味するものではない。また、ヨウ素を含むイオンが濃縮室に流出すると、脱塩室における水溶液（脱塩液）のヨウ素を含むイオンの濃度が下がり、原液と比較して、ホウ酸の濃度に対してヨウ素を含むイオンの濃度が低い水溶液が残る（つまり、ホウ酸を主体として含む水溶液が得られる）。本実施形態の製造方法では、電気透析によるヨウ素を含むイオンとホウ酸との分離後、濃縮室及び脱塩室の水溶液をそれぞれヨウ素化合物水溶液及びホウ素化合物水溶液として回収することができる。
【００３５】
濃縮液におけるホウ酸由来のホウ素元素に対するヨウ素を含む塩由来のヨウ素元素のモル濃度比率（Ｉ／Ｂ比率）は、高いほどよいため特に上限はなく、３０以上であると好ましく、４０以上であるとより好ましく、５０以上であると更に好ましい。本実施形態の製造方法では、ヨウ素を含むイオン及びホウ酸を効率よく分離できるため、高いＩ／Ｂ比率を達成しやすい。
【００３６】
また、濃縮液のＩ／Ｂ比率は、原液のＩ／Ｂ比率の５倍以上であると好ましく、８倍以上であるとより好ましく、１０倍以上であると更に好ましい。本実施形態の製造方法では、ヨウ素を含むイオン及びホウ酸を効率よく分離できるため、原液と比較して高いＩ／Ｂ比率を達成しやすい。
【００３７】
本実施形態の製造方法におけるホウ酸とヨウ素を含むイオンとを分離する原理は、以下のとおりである。まず、Ｂ（ＯＨ）３は、水溶液中で、分子状態（つまり、Ｂ（ＯＨ）３自体）で存在するが、水溶液のｐＨを７より大きくしていくと、イオン状態のホウ酸が生じる。より具体的には、イオン状態のホウ酸としては、Ｂ（ＯＨ）４−、及びＢ３Ｏ３（ＯＨ）４−、Ｂ５Ｏ６（ＯＨ）４−、Ｂ３Ｏ３（ＯＨ）５２−、Ｂ４Ｏ５（ＯＨ）４２−等のポリホウ酸型の陰イオンなど、陰イオン状態のものである。また、複数のホウ酸同士が脱水縮合してより高分子量化したポリホウ酸イオンもイオン状態のホウ酸に含まれる。
【００３８】
図２を用いて以下により具体的に説明する。図２は、ホウ酸水溶液についてのｐＨと分子状態のホウ酸の存在割合との関係を説明する図である。図２では、横軸に水溶液のｐＨを取り、縦軸に分子状態及びイオン状態のホウ酸の総量に対する分子状態のホウ酸の存在割合（モル比）をホウ酸存在比率としてとったものである。図２の実線の曲線は、以下の化学式（１）の平衡反応を仮定し、ホウ酸のｐＫａ（９．２）から各ｐＨにおけるホウ酸存在比率を算出して作成したグラフである。
Ｂ（ＯＨ）３＋ＯＨ−⇔Ｂ（ＯＨ）４−      （１）
図２の実線で示されるように、ｐＨ７以下の酸性又は中性の領域では、ホウ酸は、ほぼ１００％分子状態のホウ酸として水溶液中に存在し、ｐＨが高まるにつれ、急激に分子状態のホウ酸の存在割合が小さくなる。
ホウ酸の希薄な水溶液では、式（１）の反応が支配的になるため、図２の実線の曲線に近い挙動をとるが、０．１Ｍ以上の濃度となるとＢ（ＯＨ）３が分子間で脱水縮合したポリホウ酸の割合が増え始める。例えば、図２の点線の曲線は、（１）の平衡反応に対して、代表的なポリホウ酸であるＨ２Ｂ４Ｏ７についてＨ３ＢＯ３とのモル濃度の比率を［Ｈ２Ｂ４Ｏ７］／［Ｈ３ＢＯ３］＝１０−４と仮定して、Ｈ２Ｂ４Ｏ７のｐＫａ＝４考慮して各ｐＨにおけるホウ酸存在比率を算出して作成したグラフである。この場合、より低いｐＨ６付近からホウ酸存在比率が下がり始める。
図２は、あくまで、理想化した平衡反応についてｐＨに対するホウ酸存在比率の挙動を説明するものであるが、実際にｐＨに対する各種のイオン状態のホウ酸と分子状態のホウ酸存在比率の実験データとしては「水中からの超高効率ホウ素除去技術」、化学装置、２０１２、２月号、ｐ５３−５８（非特許文献１）に記載されており、非特許文献１のデータを参照して各ｐＨにおける分子状態のホウ酸の存在割合を見積もることができる。非特許文献１を参照すると、水溶液のｐＨが８以上であると、分子状態のＢ（ＯＨ）３は、分子状態のホウ酸及びイオン状態のホウ酸の合計量に対して３０モル％以下となる傾向がある。なお、イオンクロマトグラフィー、滴定、ラマン分光法、ＮＭＲ等により、原液における分子状態のホウ酸の含有量を予め測定することもできる。
【００３９】
ここで、脱塩室、及び当該脱塩室と陰イオン交換膜により仕切られた濃縮室を備える電気透析槽において、脱塩室に原液を導入し（つまり脱塩液として使用する。）、上記ｐＨが８以上である原液に電気透析を行うと、ヨウ素を含むイオンと、イオン状態のホウ酸とのいずれも陰イオン交換膜を透過できる。しかしながら、ヨウ素を含むイオンは、イオン状態のホウ酸と比較して陰イオン交換膜に対して高い透過速度を有する。この理由としては、まず、ヨウ素を含むイオンは、陰イオン交換膜における陰イオン交換基に対する選択性が高いため、電気透析槽に電圧を印加した際に、陰イオン交換膜の脱塩室側の表面の陰イオン交換基に優先的に吸着されていたヨウ素を含むイオンが陽極に向かって陰イオン交換膜中を移動し、濃縮室側の濃縮液に流出する。一方、イオン状態のホウ酸は、陰イオン交換膜上の陰イオン交換基がヨウ素を含むイオンに占められてしまうため、陰イオン交換基に吸着することができず、脱塩液に留まる。電気透析が進行し、脱塩液中のヨウ素を含むイオンの濃度が低くなるとイオン状態のホウ酸も陰イオン交換膜を透過し始め、濃縮液側に急激にホウ酸が流出し始める。濃縮液におけるホウ酸の濃度を監視することで、急激にホウ酸が流出し始めるタイミングを知ることができ、ホウ酸が急激に流出したところで、濃縮液をヨウ素化合物水溶液とは別に回収することができる。なお、イオン状態のホウ酸を、陰イオン交換膜を透過させることにより原液に含まれる有機化合物等とホウ酸を分離できるため、この工程は、ホウ素化合物水溶液の精製に利用することができる。
【００４０】
この現象は、陰イオン交換樹脂カラムに複数の陰イオンを通液した場合に、選択性の小さいイオンが初期に流出し、選択性の大きなイオンが最後に流出するというクロマト分離の原理を利用しているが、通常のクロマト分離ではイオン状態のホウ素が先に漏出してヨウ素がそのあとに漏出するのに対して、本実施形態の製造方法ではヨウ素を含むイオンが先に漏出してホウ素が後に漏出するという逆の効果を奏している。
【００４１】
つまり、本実施形態の製造方法は、電気透析による陰イオンの透析だけでなく、陰イオン同士の陰イオン交換膜に対する選択性の差を利用したものである。
【００４２】
この場合、原液は、ヨウ素を含む塩とホウ酸とを含有する水溶液である。ただし、原液は、水にヨウ素を含む塩とホウ酸とを溶解することにより調製されたものでなくても、ヨウ素を含む塩とホウ酸とが溶解した状態の水溶液であれば特に制限はない。例えば、ヨウ化水素酸とホウ酸とを含む水溶液にアルカリ性の水溶液を加えてｐＨを８以上としたものであってもよい。
【００４３】
原液のｐＨは、ヨウ素を含むイオンとホウ酸との分離能を高める観点から、８．５以上であると好ましく、９以上であるとより好ましく、１０以上であると更に好ましく、１２以上であると特に好ましい。なお、イオン状態のホウ酸は、水酸化物イオンよりも陰イオン交換膜の選択性が低いため、陰イオン交換膜のイオンを透過するサイトがイオン状態のホウ酸よりも先に水酸化物イオンに占有される。そのため、ｐＨがより大きいほうがよりイオン状態のホウ酸の濃縮室への流出を遅らせ、ヨウ素イオンとの分離精度がより高まる傾向にある。なお、原液のｐＨは、電気透析を始めた際に上記範囲であればよいが、電気透析を始めた当初にｐＨが８未満であっても、電気透析中に８以上となればよい（すなわち、初期運転を行って、ｐＨを８以上としてもよい）。原液のｐＨの上限は特に限定されないが、陰イオン交換膜のアルカリに対する耐久性の観点から、１４であってよい。また、原液に含まれる分子状態のホウ酸の含有量は、分子状態のホウ酸及びイオン状態のホウ酸の合計量に対して２０モル％以下であると好ましく、１０モル％以下であるとより好ましく、５モル％以下であると更に好ましく、実質的に０モル％であると特に好ましい。なお、原液に含まれる分子状態のホウ酸の含有量は、電気透析を始めた際に上記範囲であればよい。
【００４４】
ヨウ素を含む塩としては、特に限定されないが、ヨウ化物塩及びヨウ素酸塩の少なくとも一方であると好ましい。ヨウ化物塩及びヨウ素酸塩に含まれるカチオンとしては、アルカリ金属イオン、アルカリ土類金属イオン、希土類金属イオン等の金属イオンが挙げられる。
【００４５】
原液におけるヨウ素を含む塩の濃度としては、特に制限はないが、原液に含まれるヨウ素を含む塩由来のヨウ素元素の質量で、１．５ｇ／Ｌ以上であると好ましく、２ｇ／Ｌ〜４００ｇ／Ｌがより好ましく、５０ｇ／Ｌ〜４００ｇ／Ｌであると更に好ましい。なお、原液におけるヨウ素を含む塩の濃度が低くても上述の説明のとおり、イオン状態のホウ酸よりも先にヨウ素を含むイオンが先に濃縮室に流出するため、イオン状態のホウ酸とヨウ素を含むイオンとの分離は問題なく行える。
【００４６】
原液におけるホウ酸は、水にＢ（ＯＨ）３、メタホウ酸、ポリホウ酸、及びそれらの塩の少なくとも一つを溶解することにより配合したものであってよい。Ｂ（ＯＨ）３、メタホウ酸、及びポリホウ酸の塩におけるカチオンとしては、特に制限はないが、アルカリ金属イオン、アルカリ土類金属イオン等の金属イオンが挙げられる。ポリホウ酸の塩としては、例えば、硼砂が挙げられる。
【００４７】
原液におけるホウ酸の濃度としては、特に制限はないが、原液に含まれるホウ酸由来のホウ素元素の質量で、０．１ｇ／Ｌ〜４０ｇ／Ｌが好ましく、１ｇ／Ｌ〜３０ｇ／Ｌであるとより好ましく、２ｇ／Ｌ〜１０ｇ／Ｌが更に好ましい。
【００４８】
原液は、ヨウ素を含むイオン、イオン状態のホウ酸以外のイオンを含んでいてもよい。そのようなイオンとしては、上記第２の無機陰イオンであってよく、有機陰イオンであってもよい。有機陰イオンとしては、酢酸イオン、ギ酸イオン、シュウ酸イオン等が挙げられる。
【００４９】
原液は、非イオン性の水溶性有機物を含んでいてよい。水溶性有機物としては、グリセリン、ポリビニルアルコール等が挙げられる。
【００５０】
原液は、偏光フィルムの製造工程で排出される廃液等のヨウ素を含む塩及びホウ酸を含む廃液であってもよい。
【００５１】
図１は、本実施形態の電気透析装置１の一例を示す図である。なお、本実施形態の電気透析装置１としては特に制限されず、公知の電気透析装置を使用することができる。以下、図１とともに、本実施形態の製造方法について説明する。
【００５２】
電気透析装置１は、原液を収容する原液槽２を備える。必要に応じ、原液槽２には、アルカリ液槽１２が接続されていてもよい。アルカリ液槽１２には、アルカリ性の水溶液が収容されており、原液槽にアルカリ性の水溶液を添加することにより、原液槽のｐＨを調整することができる。アルカリ性の水溶液としては、特に制限されないが、水酸化ナトリウム、水酸化カリウムの水溶液が挙げられる。
【００５３】
なお、原液には、前処理によってあらかじめホウ酸、及びホウ酸以外のホウ素化合物、並びにその他不純物を減らしてから電気透析を行ってもよい。
【００５４】
電気透析装置１は、陽極８を有する電極室（陽極室）と、陰極９を有する電極室（陰極室）と、陽極室と陽イオン交換膜６で仕切られた濃縮室１１と、陰極室と陽イオン交換膜６で仕切られた脱塩室１０とを備える電気透析槽２０を備える。脱塩室１０と濃縮室１１とは、陰イオン交換膜７で仕切られている。陰極室及び陽極室には極性液が収容されている。極性液としては、特に限定されないが、硫酸水素ナトリウム水溶液、硫酸カリウム水溶液等が挙げられる。
【００５５】
陰イオン交換膜としては、特に制限はなく、強塩基性陰イオン交換膜等が使用できる。陰イオン交換膜としては、強塩基性陰イオン交換膜が好ましい。強塩基性陰イオン交換膜は、イオン交換基として第四級アンモニウム基を有するものであってよい。また、陰イオン交換膜としては、一価イオン選択透過陰イオン交換膜、全透過性の陰イオン交換膜、高強度耐アルカリ陰イオン交換膜を使用してもよく、一価イオン選択透過陰イオン交換膜であると好ましい。より具体的には、スチレン−ジビニルベンゼンを基本骨格とした基材膜（スチレン−ジビニルベンゼン系基材膜）に強塩基性陰イオン交換基である四級アンモニウム基を導入した陰イオン交換膜が使用できる。陰イオン交換膜の市販品としては、ＡＧＣエンジニアリング株式会社製のセレミオン（登録商標）ＡＭＶ、セレミオン（登録商標）ＡＭＴ、一価陰イオン選択膜であるセレミオン（登録商標）ＡＳＶ等が使用できる。また、株式会社アストム製のネオセプタ（登録商標）ＡＳＥ（全透過性の陰イオン交換膜）、一価陰イオン選択膜ＡＣＳ、ネオセプタ（登録商標）ＡＸＰ−Ｄ等も使用できる。
【００５６】
陽イオン交換膜としては、特に制限はなく、強酸性陽イオン交換膜、高強度耐アルカリ陽イオン交換膜等を使用できる。また、陽イオン交換膜は、一価イオン選択透過陽イオン交換膜であってもよい。より具体的には、スチレン−ジビニルベンゼンを基本骨格とした基材膜（スチレン−ジビニルベンゼン系基材膜）に強酸性陽イオン交換基であるスルホン酸基を導入した陽イオン交換膜が使用できる。陽イオン交換膜の市販品としては、ＡＧＣエンジニアリング株式会社製のセレミオン（登録商標）ＣＭＶ、セレミオン（登録商標）ＣＭＢ等が使用できる。また、株式会社アストム製のネオセプタ（登録商標）ＣＳＥ、ネオセプタ（登録商標）ＣＭＢ等も使用できる。
【００５７】
原液槽２に収容される原液は、配管を通じて脱塩室１０に移送される。これにより、脱塩室１０には、８以上のｐＨを有する原液、又は分子状態のホウ酸及びイオン状態のホウ酸の総量に対して３０モル％以下の分子状態のホウ酸を含有する原液が収容される。なお、脱塩室１０に連続的に原液を供給しながら、連続的に脱塩液を排出する連続運転を行ってもよい。連続運転する際には適宜濃縮液を抜き出して、電解液を供給してもよい。脱塩室に収容又は流通される水溶液を脱塩液と呼ぶ。
【００５８】
電気透析前には、濃縮室１１には、電解液が収容されている。電解液としては特に制限はないが、例えば、塩化ナトリウム、ヨウ化カリウム、ヨウ化ナトリウムの水溶液等が挙げられる。
【００５９】
陽極及び陰極の間に電圧をかけて電気透析を行う。図１に示すように、例えば、ヨウ素を含む塩としてヨウ化カリウム（ＫＩ）を使用した場合、脱塩液に含まれるＩ−は、脱塩室１０の脱塩液から陰イオン交換膜７を透過しやすいため（図１ではこのことを長い矢印で表す。）、濃縮室１１に移動し、Ｋ＋は、陽イオン交換膜６を透過して陰極室に移動する。一方、脱塩液に含まれる、Ｂ（ＯＨ）４−等のイオン状態のホウ酸は、陰イオン交換膜７を透過しにくく（図１ではこのことを短い矢印で表す。）、脱塩室に留まる。
【００６０】
電気透析の運転条件としては特に制限されないが、予め被処理液中のヨウ化物イオン（I−）、ホウ酸イオン［Ｂ（ＯＨ）４−］等のイオン状態のホウ酸の濃度を測り、濃縮室側への移動に要する電気量を算出しておけば、各成分を分画分取するための運転条件の参考にすることができる。共存イオンの種類や濃度、ヨウ素回収装置側の受け入れ条件などを勘案しながら、予め予備実験等により、濃縮室側に移動するイオンの濃度の経時変化を分析し、電気透析装置の運転条件を決定することがさらに好ましい。
【００６１】
電気透析を行っている間、脱塩液のｐＨは、ヨウ素を含むイオンとホウ酸との分離能を高める観点から、８以上に維持されていると好ましく、８．５以上に維持されているとより好ましく、１０以上に維持されていると更に好ましく、１１以上に維持されていると特に好ましい。
【００６２】
濃縮室１１には、ヨウ素を含むイオンが流出してヨウ素化合物水溶液（第１の濃縮液と呼ぶ。）が生成する。第１の濃縮液には、ホウ酸が含まれないことが好ましいが、微量に含まれていてもよく、例えば、ホウ素元素の濃度として、１ｇ／Ｌ以下であると好ましく、０．２ｇ／Ｌ以下であると好ましい。また、第１の濃縮液に含まれるホウ酸由来のホウ素元素の濃度としては、原液に含まれるホウ酸由来のホウ素元素の濃度の１０モル％以下であると好ましく、５モル％以下であるとより好ましく、３モル％以下であると更に好ましい。第１の濃縮液は、濃縮室１１から移送され、第１の濃縮液槽３に収容される。第１の濃縮液は、第１の濃縮液槽３から濃縮室１１に返送されて更に電気透析を行って、ヨウ素を含むイオンの濃度を高めてもよい。
【００６３】
電気透析を長時間行うと、脱塩室のヨウ素を含むイオンの濃度が低下し、イオン形態のホウ酸も陰イオン交換膜のイオン交換基に吸着しやすくなり、濃縮室１１のヨウ素化合物水溶液におけるホウ酸の濃度が高まる。そのため、濃縮室１１のヨウ素化合物水溶液におけるホウ酸（ホウ素元素）の濃度を監視し、濃縮室１１のヨウ素化合物水溶液におけるホウ酸（ホウ素元素）の濃度が予め定めた所定の下限値（第１の下限値）を超えたところから、濃縮室１１のヨウ素化合物水溶液を第２の濃縮液として、第１の濃縮液とは別に第２の濃縮液槽４に分取してもよい。所定の下限値としては、例えば、濃縮液のホウ素元素の濃度として１ｇ／Ｌとすることができる。濃縮室１１のヨウ素化合物水溶液におけるホウ酸（ホウ素元素）の濃度を監視する方法としては、例えば、一定時間（例えば、一時間）ごとに濃縮室１１のヨウ素化合物水溶液におけるホウ酸（ホウ素元素）の濃度を測定する方法が挙げられる。第２の濃縮液は、原液槽２に返送して、原液槽２に含まれる原液と混合して、再度脱塩室に移送して電気透析を行ってよい。
【００６４】
また、更に脱塩が進行すると、濃縮室１１のヨウ素化合物水溶液におけるホウ酸の濃度が更に高まる。そのため、濃縮室１１のヨウ素化合物水溶液におけるホウ酸（ホウ素元素）の濃度を監視し、濃縮室１１のヨウ素化合物水溶液におけるホウ酸（ホウ素元素）の濃度が予め定めた、第１の下限値よりも大きい所定の下限値（第２の下限値）を超えたところから、濃縮室１１のヨウ素化合物水溶液を第３の濃縮液として、第１及び第２の濃縮液とは別に第３の濃縮液槽５に分取する。なお、第２濃縮液槽に加えて第３濃縮液槽を設けるかどうかは、原液の組成や回収用途に受け入れ可能な純度かどうかなどを考慮し、予め予備実験等により決めることができる。
【００６５】
第１の濃縮液を精製して、第１の濃縮液に含まれるホウ酸の濃度を更に低減することができる。精製方法としては、特に制限はないが、ホウ酸を選択的に吸着する吸着材と接触させる方法が挙げられる。ホウ酸を選択的に吸着する吸着材としては、ホウ素選択性樹脂又は繊維が挙げられ、例えば、ｎ−メチルグルカミンを官能基として有する樹脂又は繊維が好ましい。ｎ−メチルグルカミンを官能基として有する樹脂又は繊維は、成型加工が容易であり、吸着塔方式以外の吸着方式が可能であることから、繊維であることが好ましい。第１の濃縮液を精製することにより、ヨウ素化合物水溶液に含まれるヨウ素化合物の純度を上げることができるとともに、ホウ酸の回収率も上げることができる。第２及び第３の濃縮液についても同様に精製してもよい。
【００６６】
脱塩液は、電気透析後に原液槽２に返送してよい。脱塩液は、電気透析前の原液と混合して脱塩室１０に移送し、再度電気透析を行ってよく、電気透析前の原液と混合は、原液槽２内で行ってもよい。電気透析を繰り返した脱塩液（ホウ素化合物水溶液）は、ヨウ素を含むイオンの濃度が十分に下がっており、上述のとおり、ホウ酸を、陰イオン交換膜を透過させて濃縮液側に流出させることができる。これによりホウ素化合物水溶液の精製が行える。濃縮液として得られたヨウ素化合物水溶液は複数回電気透析を行ってもよい。複数回電気透析を行うことによって、よりホウ素の元素濃度が低いヨウ素化合物水溶液を得ることができる。
【００６７】
本実施形態の製造方法は、第１の濃縮液に再度電気透析を行って第１の濃縮液に含まれるホウ酸の濃度を更に低減してもよい（第２の分離工程）。具体的には、第１の濃縮液を濃縮室１１に返送して再度電気透析を行ってもよく、原液槽２に返送して、再度脱塩室１０に移送して再度電気透析を行ってもよい。あるいは、濃縮室１１からヨウ素化合物水溶液を別の電気透析槽（第２の電気透析槽）の脱塩室、又は別途用意した第２の原液室を経由して第２の電気透析槽に移送し、当該別の電気透析槽において電気透析を行ってもよい。
【００６８】
濃縮液であるヨウ素化合物水溶液に含まれるヨウ素化合物としては、特に限定されないが、ヨウ素を含む塩であってよく、ヨウ化物塩及びヨウ素酸塩の少なくとも一方であってよい。ヨウ素を含む塩に含まれるヨウ素を含むイオンとしては、原液に含まれるヨウ素を含むイオンと同じものであり、ヨウ素を含む塩に含まれるカチオンとしては、極性液又は濃縮室１１の電解液として使用した電解質に含まれる陽イオンであってよい。
【００６９】
また、ヨウ素化合物は、ヨウ化水素酸であってよい。本実施形態の製造方法でヨウ化水素酸を製造する場合、バイポーラ膜を使用してよい。例えば、電気透析室において、陰イオン交換膜の陽極側及び陰極側にそれぞれバイポーラ膜を配置し、陽極側のバイポーラ膜と陰イオン交換膜に挟まれた領域を濃縮室とし、陰極側のバイポーラ膜と陰イオン交換膜に挟まれた領域を脱塩室とした電気透析装置を用いて電気透析を行うと、濃縮液では水素イオンが発生してヨウ化水素が生成し、脱塩室側に水酸化物イオンが放出されるため、陰イオン交換膜を通じて水酸化物イオンが濃縮液に移動しても濃縮室のｐＨを低く、脱塩室のｐＨを高く維持できる傾向にある。
【００７０】
なお、図１では、一つの陰イオン交換膜を二つの陽イオン交換膜を使用しているが、陽極側から二つ以上の陽イオン交換膜と、二つ以上の陰イオン交換膜とを交互に配置して脱塩室及び濃縮室を複数設けた構成としてもよい。また、３つ以上の液と室を設けて、置換電気透析を行ってもよい。
【００７１】
得られた濃縮液中のヨウ素化合物の濃度とホウ素化合物の濃度によっては、得られたヨウ素化合物水溶液中に含まれるヨウ素化合物を強塩基性陰イオン交換樹脂で吸着してもよい。このように強塩基性陰イオン交換樹脂を用いるかどうかの判断は、濃縮室から排出されるヨウ素化合物水溶液の濃度を監視して判断してもよく、ヨウ素化合物水溶液におけるホウ酸の濃度が予め定めた所定の下限値を超えた時から、ヨウ素化合物水溶液を、それ以前に回収したヨウ素化合物水溶液と別に分取して、分取したヨウ素化合物水溶液だけに強塩基性陰イオン交換樹脂を接触させてもよい。
強塩基性陰イオン交換樹脂は市販されているものを使用できる。ヨウ素化合物水溶液がホウ素化合物を含有する場合、水溶液中に含まれるヨウ素化合物を強塩基性陰イオン交換樹脂で吸着することで、ホウ素化合物の純度を高めたホウ素化合物水溶液を精製してもよい。このように濃縮液中のヨウ素化合物の濃度とホウ素化合物の濃度に応じて、適宜、吸着材を用いることによって、ヨウ素化合物の回収率を上げると同時にホウ素化合物の回収率を上げることができる。
【００７２】
ホウ素選択性樹脂又は繊維や強塩基性陰イオン交換樹脂など精製に使用した吸着材は、所定の吸着容量に達すれば、再生する必要がある。再生する場合は、再生剤として酸、アルカリ、塩化ナトリウム水溶液などを使用できる。再生条件は、実験室等における予備実験で確認できる。例えば、ホウ素選択性樹脂又は繊維は濃度１〜１０％の酸及びアルカリで２段階再生を行うが、酸、アルカリ廃液に含まれるホウ素及びヨウ素の濃度を勘案しながら、例えば原液槽に返送するなど再生廃液の回収先を決定することができる。強塩基性陰イオン交換樹脂についても同様で、再生に使用する塩化ナトリウムの濃度及び廃液の回収先は予備実験等により決定することができる。
【００７３】
以上、ホウ酸と、ヨウ素を有するイオンとの組み合わせについて説明したが、本実施形態の方法は、ホウ酸と第１の無機陰イオンとのいかなる組み合わせを含む原液に対しても同様に適用することができ、更に原液は、第２の無機陰イオンを含んでいてもよい。すなわち、原液は、ホウ酸と、フッ素を有するイオン、塩素を有するイオン、臭素を有するイオン及びヨウ素を有するイオンの少なくとも一つの無機陰イオンとを含むものであってよく、このような原液についても、本実施形態の方法を用いると精度よくホウ酸と、第１の無機陰イオンとを分離することができる。
【００７４】
また、本実施形態の方法は、原液が複数種の第１の無機陰イオンを含む場合、２種以上の第１の無機陰イオンをホウ酸と分離して無機化合物含有水溶液として回収してもよい。この場合、得られた無機化合物含有水溶液に電気透析等の方法を適用することにより、第１の無機陰イオン同士を更に分離することができる。また、第１の無機陰イオンのうち１種又は２種以上をホウ酸と分離した後に、ホウ酸を含む水溶液にまだ第１の無機陰イオンが含まれている場合、本実施形態の方法を更に適用してホウ酸と第１の無機陰イオンとを分離することができる。
【００７５】
本実施形態の方法は、第１の無機陰イオンに代えて第２の無機陰イオンを含む原液に対しても同様に適用できる。すなわち、本発明の他の実施形態は、脱塩室、及び当該脱塩室と陰イオン交換膜により仕切られた濃縮室を備える電気透析槽において、ホウ酸と、少なくとも一種の上記第２の無機陰イオン（硫酸イオン、亜硫酸イオン、チオ硫酸イオン、テトラチオン酸イオン、その他硫黄のオキソ酸イオン、硝酸イオン、リン酸イオン、リン酸水素イオン、リン酸二水素イオン、炭酸イオン、重炭酸イオン、硫化物イオン、硫化水素イオン、シアン化物イオン等）とを含み、脱塩室内に収容されている原液に電気透析を行い、当該無機陰イオンのうち少なくとも一種をホウ酸から分離して無機化合物含有水溶液として分取する分離工程を備え、
原液が以下の条件（ｉ）及び（ｉｉ）の少なくとも一方を満たす、無機化合物含有水溶液の製造方法であってよい。
（ｉ）原液のｐＨが８以上である。
（ｉｉ）原液が、分子状態のホウ酸及びイオン状態のホウ酸の総量に対して３０モル％以下の分子状態のホウ酸を含有する。
【００７６】
各無機陰イオンは、上記の移動速度に応じて順に濃縮室側に流出するため、例えば、各無機陰イオンの濃度を監視しながら、濃縮室側で無機陰イオンの一種のみを含む水溶液として順次回収してもよい。
【００７７】
本実施形態の方法によれば、原液に含まれる第１の無機陰イオンとホウ酸とを精度良く分離できる。分離の精度の基準としては、例えば、以下の指標を用いることができる。まず、電気透析を行う前の原液における分離対象（ホウ酸と分離される無機陰イオン）のモル濃度ＸＳと、ホウ酸のモル濃度ＢＳ（ホウ素元素換算）を求め、それらの比（ＸＳ／ＢＳ）を算出する。そして、分取する側の室（濃縮室又は脱塩室）の水溶液における分離対象のモル濃度をＸＲ、ホウ酸のモル濃度をＢＲを求め、それらの比（ＸＲ／ＢＲ）を算出する。本実施形態の方法によれば、例えば、ＸＲ／ＢＲをＸＳ／ＢＳの５倍以上とすると好ましく、ＸＲ／ＢＲをＸＳ／ＢＳの１０倍以上とするとより好ましい。
【実施例】
【００７８】
［実施例１］
（１）電気透析装置
電気透析装置として、アストム株式会社製のマイクロアシライザーＥＸ３Ｂを使用した。イオン交換膜としては、アストム株式会社製の強酸性陽イオン交換膜（商品名：ネオセプタＣＳＥ）及び一価陰イオン選択膜（商品名：ネオセプタＡＸＰ−Ｄ）を１ユニットとして使用し、１０ユニットの２室法電気透析装置とした。有効膜面積は、５５０ｃｍ２である。
（２）原液組成
純水に、ホウ素元素の質量で５．９ｇ／Ｌ分のホウ酸（Ｂ（ＯＨ）３）と、ヨウ素元素の質量で２６９ｇ／Ｌ分のヨウ化カリウムを溶解し、水酸化カリウムを添加してｐＨを１３に調整し、合成原液１を調製した。非特許文献１から、合成原液１は、分子状態のホウ酸及びイオン状態のホウ酸の総量に対して１モル％以下の分子状態のホウ酸を含んでいると見積もられた。
（３）電気透析実験
合成原液１を電気透析装置の脱塩室に導入して平均電流１．１Ａ、電圧１０Ｖの動作条件で電気透析を行った。なお、濃縮室では、電解液として０．１ＭのＮａＣｌを７００ｍｌ使用した。
運転を３時間行い、濃縮室のヨウ化物イオン及びホウ酸の濃度を測定したところ、それぞれヨウ素元素の質量で２１９ｇ／Ｌ及びホウ素元素の質量で１２５ｍｇ／Ｌであった。ヨウ素元素の濃度は、脱塩液中のヨウ素元素の９６．８％が濃縮液に移動した。また、濃縮液に移動したホウ酸は、ホウ素元素換算で２．５％であったため、９７．５％のホウ酸がヨウ化物イオンと分離されたことになる。ホウ素元素に対するヨウ素元素のモル濃度比率（Ｉ／Ｂ比率）を計算すると、合成原液１では３．８であるのに対し、濃縮液では１４９であった。なお、３時間電気透析を行った後の脱塩液のｐＨは１３であった。また、濃縮液のｐＨは、１２．４であった。
【００７９】
［実施例２］
（１）電気透析装置
実施例１と同じ電気透析装置を用いた。イオン交換膜としては、実施例１と同じものを用いた。
（２）原液組成
純水に、ホウ素元素の質量で５．２ｇ／Ｌ分のホウ酸（Ｂ（ＯＨ）３）と、ヨウ素元素の質量で３６５ｇ／Ｌ分のヨウ化カリウムとを溶解し、水酸化カリウムを添加してｐＨを８．５に調整し、合成原液２を調製した。非特許文献１から、合成原液２は、分子状態のホウ酸及びイオン状態のホウ酸の総量に対して２０モル％の分子状態のホウ酸を含んでいると見積もられた。
（３）電気透析実験
合成原液２を電気透析装置の脱塩室に導入して平均電流１．１Ａ、電圧１０Ｖの動作条件で電気透析を行った。なお、濃縮室では、電解液として０．１ＭのＮａＣｌを７００ｍｌ使用した。
運転を３時間行ったところ、脱塩液中のヨウ化物イオンの７７．２％が濃縮液に移動して、９２．８％のホウ酸と分離された。Ｉ／Ｂ比率を計算すると、合成原液２では６．０であるのに対し、濃縮液では６３であった。なお、電気透析を行った後の脱塩液のｐＨは８．８であった。また、濃縮液のｐＨは、７．８であった。
【００８０】
［実施例３］
（１）電気透析装置
実施例１と同じ電気透析装置を用いた。イオン交換膜としては、アストム株式会社製の強酸性陽イオン交換膜（商品名：ネオセプタＣＳＥ）及び強塩基性陰イオン交換膜（商品名：ネオセプタＡＳＥ、全透過性陰イオン交換膜）を１ユニットとして使用し、１０ユニットの２室法電気透析装置とした。有効膜面積５５０ｃｍ２である。
（２）原液組成
純水に、ホウ素元素の質量で６．１ｇ／Ｌ分のホウ酸（Ｂ（ＯＨ）３）と、ヨウ素元素の質量で２４２ｇ／Ｌ分のヨウ化カリウムとを溶解し、水酸化カリウムを添加してｐＨを１３．１に調整し、合成原液３を調製した。非特許文献１から、合成原液３は、分子状態のホウ酸及びイオン状態のホウ酸の総量に対して１モル％以下の分子状態のホウ酸を含んでいると見積もられた。
（３）電気透析実験
合成原液３を電気透析装置の脱塩室に導入して平均電流１．２Ａ、電圧１０Ｖの動作条件で電気透析を行った。なお、濃縮室では、電解液として０．１ＭのＮａＣｌを７００ｍｌ使用した。
運転を３．２５時間（１９５分）行ったところ、脱塩液中のヨウ化物イオンの９５．６％が濃縮液に移動して、９５．８％のホウ酸と分離された。運転後、脱塩室及び濃縮室のヨウ化物イオン及びホウ酸の濃度を測定した。脱塩室では、ヨウ化物イオン及びホウ酸の濃度は、それぞれヨウ素元素の質量で１．３ｇ／Ｌ及びホウ素元素の質量で７．８４ｇ／Ｌであった。濃縮室では、ヨウ化物イオン及びホウ酸の濃度は、それぞれヨウ素元素の質量で２００．８ｇ／Ｌ及びホウ素元素の質量で０．２２ｇ／Ｌであった。Ｉ／Ｂ比率を計算すると、合成原液３では３．４であるのに対し、濃縮液では９３．３であった。なお、電気透析を行った後の脱塩液のｐＨは１２．９であった。また、濃縮液のｐＨは、１２．０であった。
【００８１】
［実施例４］
（１）電気透析装置
実施例１と同じ電気透析装置を用いた。イオン交換膜としては、アストム株式会社製の標準バイポーラ膜（商品名：ネオセプタＢＰＸ−４）及び高強度陰イオン交換膜（商品名：ネオセプタＡＳＥ）を１ユニットとして使用し、１０ユニットの２室法電気透析装置とした。有効膜面積５５０ｃｍ２である。
（２）原液組成
純水に、ホウ素元素の質量で５．３ｇ／Ｌ分のホウ酸（Ｂ（ＯＨ）３）と、ヨウ素元素の質量で２３５ｇ／Ｌ分のヨウ化カリウムとを溶解し、水酸化カリウムを添加してｐＨを１２．８に調整し、合成原液４を調製した。非特許文献１から、合成原液４は、分子状態のホウ酸及びイオン状態のホウ酸の総量に対して１モル％以下の分子状態のホウ酸を含んでいると見積もられた。
（３）電気透析実験
合成原液４を電気透析装置の脱塩室に導入して平均電流２．０Ａ、電圧２０Ｖの動作条件で電気透析を行った。なお、濃縮室では、電解液として０．１ＭのＮａＣｌを７００ｍｌ使用した。
運転を５時間行ったところ、脱塩液中のヨウ化物イオンの８１．６％が濃縮液に移動して、９８．６％のホウ酸と分離された。運転後、脱塩室及び濃縮室のヨウ化物イオン及びホウ酸の濃度を測定した。脱塩室では、ヨウ化物イオン及びホウ酸の濃度は、それぞれヨウ素元素の質量で２．４ｇ／Ｌ及びホウ素元素の質量で５．７８ｇ／Ｌであった。濃縮室では、ヨウ化物イオン及びホウ酸の濃度は、それぞれヨウ素元素の質量で２２２．５ｇ／Ｌ及びホウ素元素の質量で０．０８ｇ／Ｌであった。Ｉ／Ｂ比率を計算すると、合成原液４では３．８であるのに対し、濃縮液では２２４であった。なお、電気透析を行った後の脱塩液のｐＨは１４であった。また、濃縮液のｐＨは、−０．２３であった。
【００８２】
［実施例５］
（１）電気透析装置
実施例１と同じ電気透析装置を用いた。イオン交換膜としては、実施例１と同じ膜を用いた。
（２）原液組成
純水に、ホウ素元素の質量で２５．４ｇ／Ｌ分のホウ酸（Ｂ（ＯＨ）３）と、ヨウ素元素の質量で２４５ｇ／Ｌ分のヨウ化カリウムとを溶解し、水酸化カリウムを添加してｐＨを１３．２に調整し、合成原液５を調製した。非特許文献１から、合成原液５は、分子状態のホウ酸及びイオン状態のホウ酸の総量に対して１モル％以下の分子状態のホウ酸を含んでいると見積もられた。
（３）電気透析実験
合成原液５を電気透析装置の脱塩室に導入して平均電流１．１Ａ、電圧１０Ｖの動作条件で電気透析を行った。なお、濃縮室では、電解液として０．１ＭのＮａＣｌを７００ｍｌ使用した。
運転を３時間行ったところ、脱塩液中のヨウ化物イオンの９３．５％が濃縮液に移動して、９８．４％のホウ酸と分離された。運転後、脱塩室及び濃縮室のヨウ化物イオン及びホウ酸の濃度を測定した。脱塩室では、ヨウ化物イオン及びホウ酸の濃度は、それぞれヨウ素元素の質量で１３．８ｇ／Ｌ及びホウ素元素の質量で２８．１ｇ／Ｌであった。濃縮室では、ヨウ化物イオン及びホウ酸の濃度は、それぞれヨウ素元素の質量で２１３．６ｇ／Ｌ及びホウ素元素の質量で０．３９ｇ／Ｌであった。Ｉ／Ｂ比率を計算すると、合成原液５では０．８２であるのに対し、濃縮液では４６．６であった。なお、電気透析を行った後の脱塩液のｐＨは１３．１であった。また、濃縮液のｐＨは、１２．１であった。
【００８３】
［実施例６］
（１）電気透析装置
実施例１と同じ電気透析装置を用いた。イオン交換膜としては、実施例３と同じ膜を用いた。
（２）原液組成
純水に、ホウ素元素の質量で５．３５ｇ／Ｌ分のホウ酸（Ｂ（ＯＨ）３）と、臭素元素の質量で３７．１ｇ／Ｌ分の臭化カリウムと、塩素元素の質量で１６．４ｇ／Ｌ分の塩化カリウムと、硫酸イオンの質量で１８．０ｇ／Ｌ分の硫酸カリウムと、リン酸水素イオンの質量で４５．６ｇ／Ｌ分のリン酸水素カリウムとを溶解し、水酸化ナトリウムを添加してｐＨを９．９に調整し、合成原液６を調製した。非特許文献１から、合成原液６は、分子状態のホウ酸及びイオン状態のホウ酸の総量に対して５モル％の分子状態のホウ酸を含んでいると見積もられた。
（３）電気透析実験
合成原液６を電気透析装置の脱塩室に導入して平均電流１．１Ａ、電圧１０Ｖの動作条件で電気透析を行った。なお、濃縮室では、電解液として０．１ＭのＮａＣｌを７００ｍｌ使用した。
運転を１．５時間行ったところ、脱塩液中の臭化物イオンの９７．８％が、塩化物イオンの９７．０％が、硫酸イオンの４３．２％が、リン酸水素イオンの６．１％が濃縮液に移動して、９６．２％のホウ酸と分離された。運転後、脱塩室及び濃縮室の臭化物イオン、塩化物イオン及びホウ酸の濃度を測定した。脱塩室では、臭化物イオン、塩化物イオン及びホウ酸の濃度は、それぞれ臭素元素の質量で０．３２ｇ／Ｌ、塩素元素の質量で０．６４ｇ／Ｌ、及びホウ素元素の質量で６．０２ｇ／Ｌであった。濃縮室では、臭化物イオン、塩化物イオン及びホウ酸の濃度は、それぞれ臭素元素の質量で３２．１ｇ／Ｌ、塩素元素の質量で１７．１ｇ／Ｌ、及びホウ素元素の質量で０．１８ｇ／Ｌであった。Ｂｒ／Ｂ比率を計算すると、合成原液６では０．９４であるのに対し、濃縮液では２３．８であった。また、Ｃｌ／Ｂ比率を計算すると、合成原液６では０．９４であるのに対し、濃縮液では２８．５であった。なお、電気透析を行った後の脱塩液のｐＨは１０．１であった。また、濃縮液のｐＨは、９．１であった。
【００８４】
［比較例１］
（１）電気透析装置
実施例１と同じ電気透析装置を用いた。イオン交換膜としては、実施例１と同じ膜を用いた。
（２）原液組成
純水に、ホウ素元素の質量で５．２ｇ／Ｌ分のホウ酸と、ヨウ素元素の質量で３１０ｇ／Ｌ分のヨウ化カリウムを添加し、硫酸を添加してｐＨを３．３に調整し、合成原液７を調製した。非特許文献１から、合成原液７は、分子状態のホウ酸及びイオン状態のホウ酸の総量に対して９９モル％以上の分子状態のホウ酸を含んでいると見積もられた。
（３）電気透析実験
合成原液７を電気透析装置の脱塩室に導入して平均電流１．１Ａ、電圧１０Ｖの動作条件で電気透析を行った。濃縮室では、電解液として０．１ＭのＮａＣｌを７００ｍｌ使用した。
運転を３時間行ったところ、脱塩液中のヨウ化物イオンの７２％が濃縮液に移動したのに対して、電気透析の間、ホウ酸も時間に比例して濃縮液に移動して濃縮液中のホウ素元素の濃度が増加していき、ホウ酸が１８％も濃縮室に移動した。Ｉ／Ｂ比率を計算すると、合成原液７では４．３であるのに対し、濃縮液では１５であった。
【００８５】
［比較例２］
（１）電気透析装置
実施例１と同じ電気透析装置を用いた。イオン交換膜としては、実施例３と同じ膜を用いた。
（２）原液組成
純水に、ホウ素元素の質量で６．５ｇ／Ｌ分のホウ酸と、ヨウ素元素の質量で２５０ｇ／Ｌ分のヨウ化カリウムとを溶解し、水酸化カリウムを添加してｐＨを３．１に調整し、合成原液８を調製した。非特許文献１から、合成原液８は、分子状態のホウ酸及びイオン状態のホウ酸の総量に対して９９モル％以上の分子状態のホウ酸を含んでいると見積もられた。
（３）電気透析実験
合成原液８を電気透析装置の脱塩室に導入して平均電流０．８Ａ、電圧１０Ｖの動作条件で電気透析を行った。なお、濃縮室では、電解液として０．１ＭのＮａＣｌを７００ｍｌ使用した。
運転を５時間行ったところ、脱塩液中のヨウ化物イオンの８５．８％が濃縮液に移動したのに対して、電気透析の間、ホウ酸も時間に比例して濃縮液に移動して濃縮液中のホウ素元素の濃度が増加していき、ホウ酸が３０．９％も濃縮室に移動した。運転後、脱塩室及び濃縮室のヨウ化物イオン及びホウ酸の濃度を測定した。脱塩室では、ヨウ化物イオン及びホウ酸の濃度は、それぞれヨウ素元素の質量で３４．３ｇ／Ｌ及びホウ素元素の質量で５．６１ｇ／Ｌであった。濃縮室では、ヨウ化物イオン及びホウ酸の濃度は、それぞれヨウ素元素の質量で１６８．８ｇ／Ｌ及びホウ素元素の質量で１．３５ｇ／Ｌであった。Ｉ／Ｂ比率を計算すると、合成原液８は３．３であるのに対し、濃縮液では９．２であった。なお、電気透析を行った後の脱塩液のｐＨは３．６であった。また、濃縮液のｐＨは、３．９であった。
【００８６】
図３は、実施例３について、縦軸に移動割合を取り、横軸に通電時間をとった場合のグラフである。移動割合は、原液に対する、濃縮液におけるヨウ素元素及びホウ素元素のモル比（％）である。また、図４は、比較例２について、縦軸に移動割合を取り、横軸に通電時間をとった場合のグラフである。図３では、２００分ごろまでは、濃縮室側へのイオンの移動はヨウ化物イオンが主であり、ホウ酸の移動はほとんど見られない。２００分を超え、脱塩室側のヨウ化物イオンの濃度が低下すると、イオン状態のホウ酸が陰イオン交換膜を通過し始め、濃縮室側に流出する。一方、図４では、ヨウ化物イオンとホウ酸との両方が通電時間にほぼ比例して濃縮室側に移動してしまうため、分離精度が低いことがわかる。なお、濃縮室側の水分量の変動、及び測定の誤差により、図３では、２００分付近で原液に対する、濃縮液におけるヨウ素元素のモル比（％）が１００％をわずかに超えているが、誤差範囲の変動である。
【産業上の利用可能性】
【００８７】
偏光フィルムはカメラや液晶ディスプレイに使用され、将来生活にとって欠かすことのできない材料であるため、ますます需要が増大している。その製造工程に使われるヨウ素、ホウ素等の元素は貴重な資源であるため、工程からのヨウ素及びホウ素等を含有する混合廃液中に含まれる元素は可能な限り回収することが好ましい。本発明により、電気透析装置でヨウ素、ホウ素等の元素の高純度化と回収が可能となり、次の工程への負荷が大幅に軽減できる。
【符号の説明】
【００８８】
１…電気透析装置、２…原液槽、３…第１の濃縮液槽、４…第２の濃縮液槽、５…第３の濃縮液槽、６…陽イオン交換膜、７…陰イオン交換膜、８…陽極、９…陰極、１０…脱塩室、１１…濃縮室、１２…アルカリ液槽、２０…電気透析槽。
【図１】
2020082078.tif 000003
【図２】
2020082078.tif 000004
【図３】
2020082078.tif 000005
【図４】
2020082078.tif 000006